(57)【要約】【課題】状態が変化した記憶媒体に格納されている画像データ、および、状態が変化していない記憶媒体に格納されている画像データを容易に確認することができる電子装置、電子装置の制御方法、電子装置制御プログラムおよびそれを記録したコンピュータ読み取り可能な記録媒体を提供する。【解決手段】ユーザの操作により読み込まれた画像データを格納する本体メモリ部３１、メモリカード３２１、外部メモリ３３１および外部端末３３２を含むメモリ領域３において、メモリ領域３の状態が変化したことを検出するメモリ状態変化検出４１と、上記メモリ領域３の状態が変化した時点において、メモリ領域３に含まれる上記全ての記憶媒体に格納されている画像データを収集する画像データ収集部４２１と、収集された画像データに基づいて、ｈｔｍｌを生成するｈｔｍｌ生成部４３と、生成されたｈｔｍｌを外部に提示するｈｔｍｌ提示部４４とを備える。【選択図】図１
2008141619.tif 000002
【特許請求の範囲】
【請求項１】
ユーザの操作により読み込まれた画像データを格納する複数の記憶媒体を含むメモリ領域において、該メモリ領域の状態が変化したことを検出するメモリ状態変化検出手段と、
上記メモリ領域の状態が変化した時点において、上記メモリ領域に含まれる全ての記憶媒体に格納されている画像データを収集する画像データ収集手段と、
上記画像データ収集手段により収集された画像データに基づいて、画像データを特定するための画像情報を生成する画像情報生成手段と、
上記画像情報生成手段により生成された画像情報を外部に提示する画像情報提示手段とを備えていることを特徴とする電子装置。
【請求項２】
上記メモリ領域は、当該電子装置の内部に備えられる複数の第１の記憶媒体により構成されていることを特徴とする請求項１に記載の電子装置。
【請求項３】
上記メモリ領域は、当該電子装置の内部に備えられる少なくとも１つの第１の記憶媒体、および、外部から当該電子装置に接続される少なくとも１つの第２の記憶媒体により構成されていることを特徴とする請求項１に記載の電子装置。
【請求項４】
ユーザが選択した複数の記憶媒体における該記憶媒体を特定するための特定情報を、予めユーザが登録することにより記憶しておく記憶媒体情報記憶部と、
当該電子装置に接続される複数の記憶媒体から、上記記憶媒体情報記憶部に登録されている上記特定情報に対応する記憶媒体を抽出して、抽出した記憶媒体を上記メモリ領域として規定する記憶媒体抽出手段とをさらに備え、
上記メモリ状態変化検出手段は、上記記憶媒体抽出手段により規定された上記メモリ領域の状態が変化したことを検出することを特徴とする請求項１に記載の電子装置。
【請求項５】
上記画像情報は、画像データと該画像データに関連した情報とを含むことを特徴とする請求項１〜４のいずれか１項に記載の電子装置。
【請求項６】
上記画像データに関連した情報は、上記画像データに対して過去に印刷処理が実行されたか否かを示す情報を含むことを特徴とする請求項５に記載の電子装置。
【請求項７】
上記画像情報提示手段は、ユーザの指示に基づいて上記画像情報を外部に提示することを特徴とする請求項１〜６のいずれか１項に記載の電子装置。
【請求項８】
上記画像情報提示手段により提示された画像情報の中からユーザが選択した画像情報を認識すると共に、該画像情報に対するユーザの提示指示または印刷指示を受信したか否かを判断する操作指示判断手段を備え、
上記操作指示判断手段がユーザの提示指示を受信した場合には、上記画像情報提示手段は、上記操作指示判断手段により認識された画像情報を外部に提示することを特徴とする請求項１〜７のいずれか１項に記載の電子装置。
【請求項９】
上記画像情報提示手段により提示された画像情報の中からユーザが選択した画像情報を認識すると共に、該画像情報に対するユーザの提示指示または印刷指示を受信したか否かを判断する操作指示判断手段を備え、
上記操作指示判断手段がユーザの印刷指示を受信した場合、上記操作指示判断手段により認識された画像情報に対応する画像データを、上記画像データ収集手段により収集された画像データの中から抽出する画像データ抽出手段と、
上記画像データ抽出手段により抽出された画像データを印刷すべく印刷部に転送する画像データ転送手段とを備えていることを特徴とする請求項１〜８のいずれか１項に記載の電子装置。
【請求項１０】
ユーザの印刷指示を受信したか否かを判断する操作指示判断手段と、
上記操作指示判断手段がユーザの印刷指示を受信した場合、上記画像データ収集手段により収集された画像データを印刷すべく印刷部に転送する画像データ転送手段を備えていることを特徴とする請求項１〜７のいずれか１項に記載の電子装置。
【請求項１１】
ユーザの印刷指示を受信したか否かを判断する操作指示判断手段と、
上記操作指示判断手段がユーザの印刷指示を受信した場合、上記画像データ収集手段により収集された画像データの中から、過去に印刷処理が実行されていない未印刷画像データを抽出する未印刷画像データ抽出手段と、
上記未印刷画像データ抽出手段により抽出された未印刷画像データを印刷すべく印刷部に転送する画像データ転送手段とを備えていることを特徴とする請求項６または７に記載の電子装置。
【請求項１２】
ユーザの操作により読み込まれた画像データを格納する複数の記憶媒体を含むメモリ領域において、記憶媒体の状態が変化したことを検出するメモリ状態変化検出ステップと、
上記メモリ領域の状態が変化した時点において、上記メモリ領域に含まれる全ての記憶媒体に格納されている画像データを収集する画像データ収集ステップと、
上記画像データ収集ステップにより収集された画像データに基づいて、画像データを特定するための画像情報を生成する画像情報生成ステップと、
上記画像情報生成ステップにより生成された画像情報を外部に提示する画像情報提示ステップとを含むことを特徴とする電子装置の制御方法。
【請求項１３】
請求項１〜１１のいずれか１項に記載の電子装置を動作させる制御プログラムであって、コンピュータを上記の各手段として機能させるための電子装置制御プログラム。
【請求項１４】
請求項１３に記載の電子装置制御プログラムを記録したコンピュータ読み取り可能な記録媒体。
【発明の詳細な説明】
【技術分野】
【０００１】
本発明は、記憶媒体上のマルチメディアデータからｈｔｍｌを生成することができる電子装置および電子装置の制御方法、制御プログラムおよびそれを記録したコンピュータ読み取り可能な記録媒体に関するものである。
【背景技術】
【０００２】
従来、記憶媒体上のマルチメディアデータからｈｔｍｌを自動的に生成する機能を有する装置が広く普及している。
【０００３】
例えば、特許文献１では、デジタルカメラ等の撮像装置で撮像した画像データが記憶されたメモリカードがＰＣ（Personal Computer）に挿入されると、静止画、音声、映像などのファイルタイプを判別し、グラフィカルサムネイルと共に、要約情報をｈｔｍｌとして生成する。
【０００４】
また、特許文献２には、Ｗｅｂサーバ機能を装備するデジタルカメラにてＰＣから参照や編集を可能とするｈｔｍｌファイルを自動生成する技術が開示されている。
【０００５】
このように、ｈｔｍｌが自動的に生成されることによって、ユーザは記憶媒体に格納されている画像データを容易に確認することが可能となる。
【特許文献１】特開２０００−１１３０００号公報（２０００年４月２１日公開）
【特許文献２】特開２０００−２８７１１０号公報（２０００年１０月１３日公開）
【発明の開示】
【発明が解決しようとする課題】
【０００６】
ところが、上記従来の構成では、ＰＣに挿入されたメモリカードに格納されている画像データのファイル情報を用いてｈｔｍｌを自動生成しているため、メモリカード内に存在する画像データを確認することはできるが、メモリカード以外の記憶媒体、例えば、本体内のメモリ部やネットワーク接続された記憶媒体に格納されている画像データの内容を即座に確認することができない。つまり、状態が変化した記憶媒体（ここではメモリカード）に格納されている画像データの内容を確認することはできるが、状態が変化していない記憶媒体（ここでは本体内のメモリ部やネットワーク接続された記憶媒体）に格納されている画像データについては、容易に確認することができない。したがって、状態が変化していない記憶媒体に格納されている画像データを確認するためには、ユーザはそれぞれの記憶媒体にアクセスしなければならない。
【０００７】
本発明は、上記の問題点に鑑みてなされたものであり、その目的は、状態が変化した記憶媒体に格納されている画像データ、および、状態が変化していない記憶媒体に格納されている画像データを容易に確認することができる電子装置、電子装置の制御方法、電子装置制御プログラムおよびそれを記録したコンピュータ読み取り可能な記録媒体を提供することである。
【課題を解決するための手段】
【０００８】
本発明の電子装置は、上記課題を解決するために、ユーザの操作により読み込まれた画像データを格納する複数の記憶媒体を含むメモリ領域において、該メモリ領域の状態が変化したことを検出するメモリ状態変化検出手段と、上記メモリ領域の状態が変化した時点において、上記メモリ領域に含まれる全ての記憶媒体に格納されている画像データを収集する画像データ収集手段と、上記画像データ収集手段により収集された画像データに基づいて、画像データを特定するための画像情報を生成する画像情報生成手段と、上記画像情報生成手段により生成された画像情報を外部に提示する画像情報提示手段とを備えていることを特徴としている。
【０００９】
本発明の電子装置の制御方法は、上記課題を解決するために、ユーザの操作により読み込まれた画像データを格納する複数の記憶媒体を含むメモリ領域において、記憶媒体の状態が変化したことを検出するメモリ状態変化検出ステップと、上記メモリ領域の状態が変化した時点において、上記メモリ領域に含まれる全ての記憶媒体に格納されている画像データを収集する画像データ収集ステップと、上記画像データ収集ステップにより収集された画像データに基づいて、画像データを特定するための画像情報を生成する画像情報生成ステップと、上記画像情報生成ステップにより生成された画像情報を外部に提示する画像情報提示ステップとを含むことを特徴としている。
【００１０】
ここで、ユーザの操作により読み込まれた画像データとは、具体的には例えば、スキャナ装置により取り込まれた画像データや、フロッピー（登録商標）ディスク等の磁気ディスク、ＣＤ−ＲＯＭ／ＭＯ／ＭＤ／ＤＶＤ／ＣＤ−Ｒ等の光ディスク、ＳＤカードやＣＦカード等のメモリカード、マスクＲＯＭ／ＥＰＲＯＭ／ＥＥＰＲＯＭ／フラッシュＲＯＭ等の半導体メモリ等から読み込まれた画像データや、ネットワークを介して読み込まれた画像データをいう。また、記録媒体とは、画像データを格納する媒体であり、例えば、電子装置内部に備えられる記憶媒体や、電子装置に対してリムーバブルな記録媒体や、電子装置にネットワーク接続される記録媒体等が挙げられる。
【００１１】
また、メモリ領域の状態とは、メモリ領域に含まれる複数の記憶媒体の状態をいう。そして、メモリ領域の状態が変化した場合の具体例としては、メモリ領域に含まれる記憶媒体内において画像データが作成、移動、削除等の処理が実行された場合や、記憶媒体の電子装置への接続状態が変化した場合が挙げられる。なお、記憶媒体の電子装置への接続状態が変化した場合とは、例えば、メモリカードインターフェースにメモリカード（記憶媒体）が挿入された場合、メモリカードインターフェースからメモリカードが抜かれた場合、ネットワークインターフェースに外部メモリ（記憶媒体）が接続された場合、ネットワークインターフェースから外部メモリが切断された場合をいう。
【００１２】
上記の構成によれば、記憶媒体を含むメモリ領域の状態が変化した時点において、メモリ領域に含まれる全ての記憶媒体に格納されている画像データが収集され、該画像データを特定するための画像情報が生成される。そして、生成された画像情報が外部に提示される。
【００１３】
なお、外部への提示方法としては、例えば、電子装置の表示部または電子装置にネットワーク接続された表示装置に表示させて、電子装置のユーザに提示する方法や、電子装置にネットワーク接続された外部端末に送信する方法が挙げられる。
【００１４】
ここで、例えばメモリカードが電子装置に挿入された場合、該メモリカードに格納されている画像データだけでなく、メモリ領域内に存在する状態変化が生じていない電子装置内部のメモリ部に格納されている画像データも収集される。このように、本発明では、ある記憶媒体の状態が変化した場合、該記憶媒体の画像データだけでなく該記憶媒体とは異なる記憶媒体からも画像データが収集される。これにより、状態が変化した記憶媒体に格納されている画像データ、および、状態が変化していない記憶媒体に格納されている画像データを容易に確認することが可能となる。
【００１５】
なお、上記画像データには、静止画像データや動画像データが含まれる。
【００１６】
また、本発明の電子装置は、上記記載の電子装置において、上記メモリ領域は、当該電子装置の内部に備えられる複数の第１の記憶媒体により構成されていることが好ましい。
【００１７】
ここで、第１の記憶媒体とは、電子装置の内部に予め備えられている上述の記録媒体（本体メモリ部）をいう。上記の構成によれば、複数の記録媒体が電子装置内部に存在している。そのため、ある記憶媒体内において画像データが作成、移動、削除等の記憶媒体の状態に変化が生じる処理が実行された場合、該記憶媒体に格納されている画像データだけでなく、その他の記憶媒体、すなわち状態が変化していない記憶媒体に格納されている画像データも収集することができる。
【００１８】
また、本発明の電子装置は、上記記載の電子装置において、上記メモリ領域は、当該電子装置の内部に備えられる少なくとも１つの第１の記憶媒体、および、外部から当該電子装置に接続される少なくとも１つの第２の記憶媒体により構成されていることが好ましい。
【００１９】
ここで、第２の記憶媒体とは、電子装置に対してリムーバブルな記録媒体やネットワークを介して電子装置に接続される記憶媒体をいう。リムーバブルな記憶媒体としては、具体的には例えば、上述のメモリカードや半導体メモリ等が挙げられ、ネットワークを介して電子装置に接続される記憶媒体としては、具体的には例えば、上述の磁気ディスクや光ディスクの読取装置、外部記憶装置（外部メモリ）、外部端末等が挙げられる。
【００２０】
上記の構成によれば、メモリ領域は、少なくとも１つの第１の記憶媒体と少なくとも１つの第２の記憶媒体とにより構成されている。そのため、例えば、メモリカードが電子装置に挿入された場合、該メモリカードに格納されている画像データだけでなく、状態変化が生じていない、電子装置の内部に予め備えられている上述の記録媒体や、電子装置にネットワーク接続されている外部メモリに格納されている画像データも収集することができる。
【００２１】
また、本発明の電子装置は、上記記載の電子装置において、ユーザが選択した複数の記憶媒体における該記憶媒体を特定するための特定情報を、予めユーザが登録することにより記憶しておく記憶媒体情報記憶部と、当該電子装置に接続される複数の記憶媒体から、上記記憶媒体情報記憶部に登録されている上記特定情報に対応する記憶媒体を抽出して、抽出した記憶媒体を上記メモリ領域として規定する記憶媒体抽出手段とをさらに備え、上記メモリ状態変化検出手段は、上記記憶媒体抽出手段により規定された上記メモリ領域の状態が変化したことを検出することが好ましい。
【００２２】
上記の構成によれば、ユーザが登録した記憶媒体について状態変化が検出される。これにより、ユーザが登録した記憶媒体の範囲において、状態変化が生じた記憶媒体および状態変化が生じていない記録媒体に格納されている画像データが収集される。このように、状態変化の検出対象の記憶媒体を、ユーザが登録した記憶媒体に限定しているため、上述の構成と比較して、電子装置の処理速度を向上させることができる。
【００２３】
また、本発明の電子装置は、上記記載の電子装置において、上記画像情報は、画像データと該画像データに関連した情報とを含むことが好ましい。
【００２４】
画像データに関連した情報とは、例えば、画像データが生成された日時情報、画像データのサイズ情報、画像データ別のインデックス番号などをいう。
【００２５】
これにより、例えば、ＪＰＥＧ等により画像データを確認するための表示部がない端末において印刷処理を実行する場合には、画像情報にインデックス番号を含むことによって、インデックス番号を入力することで対応する画像データの印刷処理を実行することができる。このように、上記の構成によれば、画像以外の情報に基づいて画像データを特定することができる。
【００２６】
また、本発明の電子装置は、上記記載の電子装置において、上記画像データに関連した情報は、上記画像データに対して過去に印刷処理が実行されたか否かを示す情報を含むことが好ましい。
【００２７】
これにより、記憶媒体に格納されている画像データの中から、未だ印刷処理が実行されていない画像データを容易に確認することができる。
【００２８】
また、本発明の電子装置は、上記記載の電子装置において、上記画像情報提示手段は、ユーザの指示に基づいて上記画像情報を外部に提示することが好ましい。
【００２９】
上記の構成によれば、生成された画像情報は、ユーザの指示に基づいて外部に提示される。そのため、記憶媒体の状態が変化しただけでは、記憶媒体に格納されている画像データの画像情報が外部に表示されない。したがって、電子装置の処理負荷を低減することができる。
【００３０】
また、本発明の電子装置は、上記記載の電子装置において、上記画像情報提示手段により提示された画像情報の中からユーザが選択した画像情報を認識すると共に、該画像情報に対するユーザの提示指示または印刷指示を受信したか否かを判断する操作指示判断手段を備え、上記操作指示判断手段がユーザの提示指示を受信した場合には、上記画像情報提示手段は、上記操作指示判断手段により認識された画像情報を外部に提示することが好ましい。
【００３１】
上記の構成によれば、操作指示判断手段がユーザの提示指示を受信した場合、ユーザが選択した画像情報が外部に提示される。これにより、各記憶媒体に格納されている画像データのうち、ユーザが選択した画像データに関する画像情報のみを表示させることができる。
【００３２】
また、本発明の電子装置は、上記記載の電子装置において、上記画像情報提示手段により提示された画像情報の中からユーザが選択した画像情報を認識すると共に、該画像情報に対するユーザの提示指示または印刷指示を受信したか否かを判断する操作指示判断手段を備え、上記操作指示判断手段がユーザの印刷指示を受信した場合、上記操作指示判断手段により認識された画像情報に対応する画像データを、上記画像データ収集手段により収集された画像データの中から抽出する画像データ抽出手段と、上記画像データ抽出手段により抽出された画像データを印刷すべく印刷部に転送する画像データ転送手段とを備えていることが好ましい。
【００３３】
上記の構成によれば、画像データ収集手段により収集された画像データの中から、ユーザが選択した画像情報に対応した画像データが抽出され印刷される。これにより、ユーザが印刷を望む画像データのみを抽出して印刷することができる。
【００３４】
なお、本発明の電子装置は、記憶媒体自体を選択して、該記憶媒体に格納されている全ての画像データを印刷する構成であってもよい。具体的には例えば、メモリ領域に、本体メモリ部およびメモリカードが含まれる場合、ユーザがメモリカードを選択することによって、メモリカードに格納されている画像データが印刷処理される構成である。
【００３５】
また、本発明の電子装置は、上記記載の電子装置において、ユーザの印刷指示を受信したか否かを判断する操作指示判断手段と、上記操作指示判断手段がユーザの印刷指示を受信した場合、上記画像データ収集手段により収集された画像データを印刷すべく印刷部に転送する画像データ転送手段を備えていることが好ましい。
【００３６】
上記の構成によれば、ユーザの印刷指示に基づいて、上記画像データ収集手段により収集された画像データが印刷される。
【００３７】
これにより、上記記憶媒体の状態が変化した記憶媒体に格納されている画像データだけでなく、該記憶媒体とは異なる記憶媒体に格納されている画像データをも印刷することができるため、状態が変化していない記憶媒体にアクセスして印刷処理を行う手間を省くことができる。
【００３８】
また、本発明の電子装置は、上記記載の電子装置において、ユーザの印刷指示を受信したか否かを判断する操作指示判断手段と、上記操作指示判断手段がユーザの印刷指示を受信した場合、上記画像データ収集手段により収集された画像データの中から、過去に印刷処理が実行されていない未印刷画像データを抽出する未印刷画像データ抽出手段と、上記未印刷画像データ抽出手段により抽出された未印刷画像データを印刷すべく印刷部に転送する画像データ転送手段とを備えていることが好ましい。
【００３９】
これにより、ユーザは、各記憶媒体に格納されている画像データについて、印刷済みであるか否かを容易に確認することができる。そして、ユーザの印刷指示により、未印刷画像データのみを印刷することが可能となる。したがって、各記憶媒体に格納されている画像データのうち未印刷の画像データのみを印刷する場合、ユーザは、複数の記憶媒体にアクセスして未印刷の画像データを検索および印刷処理を行う必要がないため、ユーザの手間を軽減することができる。
【００４０】
なお、上記電子装置は、コンピュータによって実現してもよく、この場合には、コンピュータを上記各手段として動作させることにより上記電子装置をコンピュータにて実現させる各装置の制御プログラム、およびそれを記録したコンピュータ読み取り可能な記録媒体も、本発明の範疇に入る。
【発明の効果】
【００４１】
本発明の電子装置は、以上のように、ユーザの操作により読み込まれた画像データを格納する複数の記憶媒体を含むメモリ領域において、該メモリ領域の状態が変化したことを検出するメモリ状態変化検出手段と、上記メモリ領域の状態が変化した時点において、上記メモリ領域に含まれる全ての記憶媒体に格納されている画像データを収集する画像データ収集手段と、上記画像データ収集手段により収集された画像データに基づいて、画像データを特定するための画像情報を生成する画像情報生成手段とを備える構成である。
【００４２】
また、本発明の電子装置の制御方法は、以上のように、ユーザの操作により読み込まれた画像データを格納する複数の記憶媒体を含むメモリ領域において、記憶媒体の状態が変化したことを検出するメモリ状態変化検出ステップと、上記メモリ領域の状態が変化した時点において、上記メモリ領域に含まれる全ての記憶媒体に格納されている画像データを収集する画像データ収集ステップと、上記画像データ収集ステップにより収集された画像データに基づいて、画像データを特定するための画像情報を生成する画像情報生成ステップとを含む方法である。
【００４３】
これにより、状態が変化した記憶媒体に格納されている画像データ、および、状態が変化していない記憶媒体に格納されている画像データを容易に確認することができるという効果を奏する。
【発明を実施するための最良の形態】
【００４４】
〔実施の形態１〕
本発明の一実施形態について図１〜図３に基づいて説明すれば、以下のとおりである。なお、本発明の電子装置は、プリンタ機能、スキャナ機能、インターネット接続機能等を含む、複合機、パーソナルコンピュータ（ＰＣ）等の通信端末装置全般に適用可能である。
【００４５】
図１は、本実施の形態１における電子装置１の概略構成を示すブロック図である。電子装置１は、ネットワークを介して複数の端末および外部記憶媒体に接続可能な構成である。電子装置１は、スキャナ部２、メモリ領域３と、制御部４と、表示部５とを備えている。メモリ領域３は、本体メモリ部３１と、メモリカードインターフェース（以下、メモリカードＩ／Ｆと示す）３２と、ネットワークインターフェース（以下、ネットワークＩ／Ｆと示す）３３とを含んでいる。なお、メモリカードＩ／Ｆ３２およびネットワークＩ／Ｆ３３に接続される記憶媒体も上記メモリ領域３の範囲に含まれる。
【００４６】
本体メモリ部（第１の記憶媒体）３１は、電子装置１の内部に少なくとも１つ備えられ、スキャナ部２により取り込まれた画像データや、フロッピー（登録商標）ディスク／ハードディスク等の磁気ディスク、ＣＤ−ＲＯＭ／ＭＯ／ＭＤ／ＤＶＤ／ＣＤ−Ｒ等の光ディスク、ＳＤカードやＣＦカード等のメモリカード、マスクＲＯＭ／ＥＰＲＯＭ／ＥＥＰＲＯＭ／フラッシュＲＯＭ等の半導体メモリ等から読み込まれた画像データや、ネットワークを介して読み込まれた画像データを格納する。なお、本実施の形態１では、スキャナ部２は、電子装置１の内部に備えられている構成としているが、特に限定されるものではなく、外付けのスキャナ装置を使用した構成であってもよい。
【００４７】
メモリカードＩ／Ｆ３２は、電子装置１に対してリムーバブルな記憶媒体（第２の記憶媒体）を受容するものである。この記憶媒体としては、例えば、上述した各種のメモリカードおよび半導体メモリ等が挙げられる。メモリカードＩ／Ｆ３２は、電子装置１に少なくとも１つ備えられており、種類（形状）が異なるメモリカードを個別に受容することができる。なお、本実施の形態１では、上記記憶媒体をメモリカード３２１として説明する。
【００４８】
ネットワークＩ／Ｆ３３は、ネットワーク環境を構築するためのものであり、例えばＵＳＢ（Universal Serial Bus）やＳＣＳＩ（small computer system interface）などの有線ＬＡＮインターフェース、無線ＬＡＮインターフェースが利用できる。なお、ネットワークＩ／Ｆ３３には、ネットワークを介して記憶媒体（第２の記憶媒体）が接続される。この記憶媒体としては、例えば、上述の磁気ディスク、光ディスク、半導体メモリ等の外付け読取装置や、外付けハードディスク等の外部記憶装置（外部メモリ）や、外部端末３３２等が挙げられる。なお、ネットワークＩ／Ｆ３３に接続される外部端末３３２は、電子装置１とデータ通信を可能とする。ネットワークＩ／Ｆ３３は、電子装置１に少なくとも１つ備えられており、上述の読取装置や外部メモリなど複数の機器を接続することができる。なお、本実施の形態１では、上記記憶媒体を外部メモリ３３１として説明する。
【００４９】
制御部４は、ＣＰＵ（Central Processing Unit）などからなり、電子装置１における各種構成の動作を統括的に制御する。制御部４は、メモリ状態変化検出部（メモリ状態変化検出手段）４１と、画像データ処理部４２と、ｈｔｍｌ生成部（画像情報生成手段）４３と、ｈｔｍｌ提示部（画像情報提示手段）４４とを備えている。
【００５０】
メモリ状態変化検出部４１は、メモリ領域３の状態変化、すなわち上記第１の記憶媒体および第２の記憶媒体として上述した各記憶媒体の状態変化を検出するものである。より具体的には、本体メモリ部３１、メモリカード３２１および外部メモリ３３１内において、画像データが作成、移動、削除等の処理が実行されたことを検出する。また、メモリ状態変化検出部４１は、各記憶媒体の電子装置１への接続状態の変化を検出する。具体的には、メモリカードＩ／Ｆ３２にメモリカード３２１が挿入された場合、メモリカードＩ／Ｆ３２からメモリカード３２１が抜かれた場合、ネットワークＩ／Ｆ３３に外部メモリ３３１が接続された場合、ネットワークＩ／Ｆ３３から外部メモリ３３１が切断された場合が挙げられる。
【００５１】
画像データ処理部４２は、画像データ収集部（画像データ収集手段）４２１を備え、該画像データ収集部４２１は、メモリ領域３に含まれる各記憶媒体の状態変化が、メモリ状態変化検出部４１により検出されると、検出された時点において、状態変化生じた記憶媒体および該記憶媒体とは異なる記憶媒体に格納されている画像データを収集する。具体的には、メモリ状態変化検出部４１において、ある記憶媒体の状態変化が検出されると、画像データ収集部４２１は、その時点における本体メモリ部３１およびメモリカード３２１ならびに外部メモリ３３１に格納されている全ての画像データを収集する。
【００５２】
ｈｔｍｌ生成部４３は、画像データ収集部４２１により収集された画像データに関連した情報（以下、画像情報と示す）をｈｔｍｌとして生成する。なお、画像情報としては、具体的には、例えば図２に示すように、画像、画像データのインデックス番号、撮影日時およびデータサイズ等が挙げられる。なお、本実施の形態１では、画像情報をｈｔｍｌ（画像確認用ｈｔｍｌ）として生成する構成としているがこれに限定されるものではなく、例えば、ＸＭＬ、ＸＨＴＭＬ、ＳＭＩＬ等を生成する構成であってもよい。
【００５３】
ｈｔｍｌ提示部４４は、ｈｔｍｌ生成部４３により生成されたｈｔｍｌを、電子装置１のユーザに提示すべく電子装置１の表示部５に送信する。なお、電子装置１に外部端末３３２が接続されている場合には、ｈｔｍｌ提示部４４は、上記生成されたｈｔｍｌを、電子装置１の表示部５に送信すると共に、外部端末３３２のユーザに提示すべく外部端末３３２にも送信する。
【００５４】
表示部５は、ｈｔｍｌ提示部４４から送信されたｈｔｍｌの表示処理を行う。なお、本実施の形態１では、表示部５は、電子装置１の内部に備えられている構成としているが、特に限定されるものではなく、例えば、ネットワークに接続された外付けの表示装置を使用した構成であってもよい。
【００５５】
ここで、図１および図３を参照して、電子装置１の各部の機能を、具体的な動作と共に説明する。図３は、本実施の形態１における電子装置１の動作を示す処理フロー図である。
【００５６】
まず、図３のステップ１において（以降、Ｓ１のように称する）、ユーザの操作により、以下（i）〜（iv）に例示するいずれかの処理が実行され、記憶媒体の状態変化が生じる。
（i）電子装置１のスキャナ部２から画像データが本体メモリ部３１に取り込まれる。
（ii）メモリカードＩ／Ｆ３２にメモリカード３２１が挿入される、または、メモリカードＩ／Ｆ３２からメモリカード３２１が抜き取られる。
（iii）ネットワークＩ／Ｆ３３に外部メモリ３３１が接続される、または、ネットワークＩ／Ｆ３３から外部メモリ３３１が切断される。
（iv）各記憶媒体内において、画像データが作成、移動、削除される。
【００５７】
次に、メモリ状態変化検出部４１は、記憶媒体の状態変化、すなわち本体メモリ部３１内の画像データが作成、移動、削除されたこと、あるいは、メモリカードＩ／Ｆ３２やネットワークＩ／Ｆ３３における接続環境が変化したこと、あるいは、メモリカード３２１や外部メモリ３３１内の画像データが作成、移動、削除されたことを検出する（Ｓ２）。
【００５８】
メモリ状態変化検出部４１により記憶媒体の状態変化が検出されると、画像データ収集部４２１が、その時点において電子装置１がアクセス可能な各記憶媒体、すなわち本体メモリ部３１およびメモリカード３２１ならびに外部メモリ３３１に格納されている全ての画像データを収集する（Ｓ３）。
【００５９】
次に、ｈｔｍｌ生成部４３が、画像データ収集部４２１により収集された画像データに基づいて、全ての画像データに対応してインデックス番号、撮影日時およびデータサイズ等を含む画像確認用ｈｔｍｌ（図２）を生成する（Ｓ４）。そして、ｈｔｍｌ提示部４４が、ｈｔｍｌ生成部４３により生成された画像確認用ｈｔｍｌを表示部５および外部端末３３２に送信する（Ｓ５）。表示部５および外部端末３３２では、ｈｔｍｌ提示部４４から送信された画像確認用ｈｔｍｌの表示処理が実行される（Ｓ６）。
【００６０】
このように、本実施の形態１では、ある記憶媒体の状態が変化した場合、電子装置１がアクセス可能な全ての記憶媒体に格納されている画像データが収集される。つまり、例えばメモリカード３２１が電子装置１に挿入された場合、該メモリカード３２１に格納されている画像データだけでなく、状態変化が生じていない、電子装置１内部の本体メモリ部３１に格納されている画像データやネットワーク接続された外部メモリ３３１に格納されている画像データも収集される。これにより、状態変化が生じていない記録媒体に格納されている画像データについても容易に確認することが可能となる。
【００６１】
ここで、ｈｔｍｌ提示部４４は、ユーザの指示に基づいてｈｔｍｌを表示部５および外部端末３３２に提示する構成であってもよい。この構成によれば、例えば、メモリカード３２１をメモリカードＩ／Ｆ３２に挿入しただけでは、各記憶媒体に格納されている画像データのｈｔｍｌが表示部５に表示されない。そのため、電子装置１の処理負荷を低減することができる。
【００６２】
また、本実施の形態１における電子装置１では、メモリ領域３に本体メモリ部３１、メモリカード３２１および外部メモリ３３１を含む構成として説明したが、これに限定されるものではなく、例えば、メモリ領域３が複数の本体メモリ部３１のみにより構成されていてもよい。この構成によれば、電子装置１内部に存在する複数のメモリ部において、状態変化が生じていないメモリ部の画像データをも確認することが可能となる。また、メモリ領域３が、本体メモリ部３１およびメモリカード３２１により構成されていてもよい。この構成においても、上述の効果と同等の効果を奏することができる。さらに、検出対象とする記憶媒体の範囲を限定しているため、上述の構成と比較して電子装置１の処理速度を向上させることができ、電子装置１の処理負荷を低減することができる。
〔実施の形態２〕
本発明の他の実施形態について図４および図５に基づいて説明すれば、以下のとおりである。なお、説明の便宜上、上記実施の形態１において示した部材と同一の機能を有する部材には、同一の符号を付し、その説明を省略する。また、実施の形態１において定義した用語については、特に断らない限り本実施の形態においてもその定義に則って用いるものとする。
【００６３】
図４は、本実施の形態２における電子装置１ａの概略構成を示すブロック図である。
【００６４】
電子装置１ａは、電子装置１ａのユーザまたはネットワーク接続された端末（外部端末３３２）のユーザからの操作指示を受信したか否かを判断して、該操作指示を受信した場合には該操作指示に応じた命令を画像データ処理部４２に付与する操作指示判断部４５を備え、画像データ処理部４２は、操作指示判断部４５から受信した操作指示に基づいて処理を実行する構成である。
【００６５】
この電子装置１ａは、図１に示す上記実施の形態１の電子装置１における画像データ処理部４２において、画像データ収集部４２１に加えて、画像データ抽出部（画像データ抽出手段）４２２と、画像データ転送部（画像データ転送手段）４２３とをさらに備えている。電子装置１ａは、さらに操作部６と印刷部７とを備えている。
【００６６】
操作指示判断部４５は、ｈｔｍｌ提示部４４により提示された画像確認用ｈｔｍｌから電子装置１ａのユーザまたは外部端末３３２のユーザが選択した画像確認用ｈｔｍｌを認識すると共に、該ユーザからの操作指示を受信したか否かを判断する。ユーザにより選択された画像の認識方法としては、例えば、表示部５に表示された画像がユーザの操作により選択されるとフラグが付与され、フラグの有無により選択されたか否かを判断する方法が挙げられる。
【００６７】
画像データ抽出部４２２は、画像データ収集部４２１により予め収集された全ての画像データの中から、操作指示判断部４５が受信したユーザの操作指示に応じた画像データを抽出する。ユーザの操作指示の内容としては、例えば、表示部５に表示された画像確認用ｈｔｍｌから印刷または表示を希望する画像確認用ｈｔｍｌを選択して、該画像確認用ｈｔｍｌの画像情報に対応する画像データの印刷または表示を指示する内容や、画像データ収集部４２１により収集された全ての画像データの印刷を指示する内容が挙げられる。そして、画像データ抽出部４２２では、全ての画像データの中から上記画像確認用ｈｔｍｌに対応する画像データを抽出する。
【００６８】
画像データ転送部４２３は、画像データ抽出部４２２により抽出された画像データを印刷すべく、該画像データを印刷部７に転送する、または、上記画像データを電子装置１ａのユーザあるいは外部端末３３２のユーザに提示すべく表示部５あるいは外部端末３３２に送信する。
【００６９】
印刷部７は、画像データ転送部４２３から送信された画像データの印刷処理を行う。なお、本実施の形態２では、印刷部７は、電子装置１ａの内部に備えられている構成としているが、特に限定されるものではなく、例えば、ネットワークに接続された外付けの印刷装置を使用した構成であってもよい。また、印刷部７は、外部端末３３２に接続されていてもよい。
【００７０】
ここで、図４および図５を参照して、電子装置１ａの各部の機能を、具体的な動作と共に説明する。図５は、本実施の形態２における電子装置１ａの動作を示す処理フロー図である。なお、図５のフロー図におけるＳ２１〜Ｓ２６の処理は、上記実施の形態１の図３のフロー図におけるＳ１〜Ｓ６の処理と同一であるためその説明は省略する。
【００７１】
図５のフロー図のＳ２６において、ｈｔｍｌ提示部４４から送信された画像確認用ｈｔｍｌが表示部５および外部端末３３２に表示される。次に、操作指示判断部４５が、上記画像確認用ｈｔｍｌからユーザが選択した画像確認用ｈｔｍｌに対する印刷指示または表示指示を、操作部６またはネットワークを介して受信したか否かを判断する（Ｓ２７）。
【００７２】
操作指示判断部４５が、上記印刷指示または表示指示を受信した場合（Ｓ２７にてＹＥＳ）には、画像データ抽出部４２２は、該印刷指示または表示指示を受信して、画像データ収集部４２１が収集した（Ｓ２３）全ての画像データの中から、電子装置１ａまたは外部端末３３２のユーザが選択した画像確認用ｈｔｍｌに対応する画像データを抽出する（Ｓ２８）。
【００７３】
そして、画像データ抽出部４２２が抽出した画像データに対して、画像データ転送部４２３が、ユーザからの操作指示に応じた処理を実行する（Ｓ２９）。具体的には、画像データ抽出部４２２により抽出された画像データを印刷すべく、該画像データを印刷部７に転送する、または、画像データ抽出部４２２により抽出された画像データを表示すべく、該画像データを電子装置１ａの表示部５または外部端末３３２に転送する（Ｓ３０）。そして、印刷部７において、画像データ転送部４２３により転送された画像データに対する印刷処理が実行される、または、表示部５において、画像データ転送部４２３により転送された画像データに対する表示処理が実行される。
【００７４】
なお、ユーザの操作指示が、画像データ収集部４２１により収集された全ての画像データの印刷を指示する内容である場合には、画像データ転送部４２３は、上記全ての画像データを印刷すべく印刷部７に転送する構成であってもよい。
【００７５】
一方、操作指示判断部４５が、上記印刷指示または表示指示を受信していない場合（Ｓ２７にてＮＯ）には処理は終了する。
【００７６】
なお、電子装置１ａは、画像データの印刷処理および表示処理をメモリ単位で実行する構成であってもよい。具体的には例えば、電子装置１ａのユーザが、全ての画像データの内、メモリカード３２１に格納されている画像データに対して印刷要求または確認要求を指示した場合には、メモリカード３２１に格納されている画像データのみが印刷部７に出力または表示部５に送信される。
【００７７】
また、ｈｔｍｌ生成部４３により生成される画像確認用ｈｔｍｌは、画像データを特定するインデックス番号を付与したインデックス番号付ｈｔｍｌであってもよい。そして、画像データ抽出部４２３は、ｈｔｍｌ提示部４４により提示されたインデックス番号付ｈｔｍｌからユーザが選択したインデックス番号に対応する画像データを抽出し、画像データ転送部４２３が抽出された画像データを印刷すべく印刷部７に転送する。これにより、画像データの特定が容易となる。
【００７８】
また、操作指示判断部４５が、ユーザから選択された画像確認用ｈｔｍｌに対する表示指示を受信した場合、ｈｔｍｌ提示部４４は、ユーザが選択した画像確認用ｈｔｍｌを表示部５または外部端末３３２に再度、送信する構成であってもよい。これにより、ユーザが選択した画像確認用ｈｔｍｌを表示させることができる。
〔実施の形態３〕
本発明の他の実施形態について図６〜図８に基づいて説明すれば、以下のとおりである。なお、説明の便宜上、上記実施の形態１および２において示した部材と同一の機能を有する部材には、同一の符号を付し、その説明を省略する。また、実施の形態１および２において定義した用語については、特に断らない限り本実施の形態においてもその定義に則って用いるものとする。
【００７９】
図６は、本実施の形態３における電子装置１ｂの概略構成を示すブロック図である。
【００８０】
電子装置１ｂは、電子装置１ｂのユーザまたはネットワーク接続された端末（外部端末３３２）のユーザからの印刷指示を受信したか否かを判断して、該印刷指示を受信した場合には該印刷指示に応じた命令を画像データ処理部４２に付与する操作指示判断部４５を備え、画像データ処理部４２は、操作指示判断部４５が受信した印刷指示に基づいて印刷処理を実行する構成である。
【００８１】
電子装置１ｂは、図１に示す上記実施の形態１の電子装置１における画像データ処理部４２において、画像データ収集部４２１に加えて、未印刷画像データ抽出部（未印刷画像データ抽出手段）４２４と、画像データ転送部（画像データ転送手段）４２３とをさらに備えている。電子装置１ｂは、さらに操作部６と印刷部７とを備えている。
【００８２】
本実施の形態３の電子装置１ｂにおけるｈｔｍｌ生成部４３は、過去に印刷された画像データであるか、未だ印刷処理が実行されていない未印刷画像データであるかを判別できる情報を含む画像情報に関する印刷確認用ｈｔｍｌを生成する。図７は、上記印刷確認用ｈｔｍｌを示す図である。
【００８３】
未印刷画像データ抽出部４２４は、操作指示判断部４５を介してユーザから印刷指示を受信すると、画像データ収集部４２１が予め収集した全ての画像データ、すなわち状態変化が生じた記憶媒体の画像データだけでなく該記憶媒体とは異なる記憶媒体の画像データの中から、未だ印刷処理が実行されていない画像データ（未印刷画像データ）を抽出する。なお、未印刷画像データ抽出部４２４は、画像情報を示す印刷確認用ｈｔｍｌに基づいて、未印刷画像データを抽出する。
【００８４】
画像データ転送部４２３は、未印刷画像データ抽出部４２４により抽出された未印刷画像データを印刷すべく、該未印刷画像データを印刷部７に転送する。
【００８５】
図６および図８を参照して、電子装置１ｂの各部の機能を、具体的な動作と共に説明する。図８は、本実施の形態３における電子装置１ｂの動作を示す処理フロー図である。なお、図８のフロー図におけるＳ３１〜Ｓ３３の処理は、図３のフロー図におけるＳ１〜Ｓ３の処理と同一であるためその説明は省略する。
【００８６】
図８のフロー図のＳ３３において、画像データ収集部４２１により、状態変化が生じた記憶媒体の画像データだけでなく該記憶媒体とは異なる記憶媒体の画像データが収集される。次に、ｈｔｍｌ生成部４３が、画像データ収集部４２１により収集された画像データに基づいて、インデックス番号、撮影日時、データサイズ、および、過去に印刷された画像データであるか、未印刷画像データであるかを判別できる情報を含む画像情報に関する印刷確認用ｈｔｍｌ（図７）を生成する（Ｓ３４）。そして、ｈｔｍｌ提示部４４が、ｈｔｍｌ生成部４３により生成された印刷確認用ｈｔｍｌを表示部５および外部端末３３２３に送信する（Ｓ３５）。表示部５では、ｈｔｍｌ提示部４４から送信された印刷確認用ｈｔｍｌが表示される（Ｓ３６）。次に、操作指示判断部４５が、電子装置１ｂのユーザあるいは外部端末３３２のユーザから未印刷画像データに対する印刷指示を操作部６またはネットワークを介して受信したか否かを判断する（Ｓ３７）。
【００８７】
操作指示判断部４５が上記印刷指示を受信した場合（Ｓ３７にてＹＥＳ）は、未印刷画像データ抽出部４２４は、該印刷指示を受信して、画像データ収集部４２１が収集した（Ｓ３３）全ての画像データの中から、印刷確認用ｈｔｍｌの画像情報に基づいて、未印刷画像データを抽出する（Ｓ３８）。
【００８８】
そして、未印刷画像データ抽出部４２４が抽出した画像データに対して、画像データ転送部４２３が、未印刷画像データ抽出部４２４により抽出された未印刷画像データを印刷すべく該未印刷画像データを印刷部７または外部端末３３２に転送する（Ｓ３９）。そして、印刷部７において、画像データ転送部４２３により転送された画像データに対する印刷処理が実行される（Ｓ４０）。
【００８９】
一方、操作指示判断部４５が、上記印刷指示を受信していない場合（Ｓ３７にてＮＯ）には処理は終了する。
【００９０】
なお、操作指示判断部４５が電子装置１ｂのユーザまたは外部端末３３２のユーザから未印刷画像データの表示要求を受信した場合には、画像データ転送部４２３は、未印刷画像データを表示部５または外部端末３３２に送信する構成であってもよい。
【００９１】
また、本実施の形態３では、未印刷データ抽出部４２４は、ユーザからの操作指示に基づいて、未印刷画像データを抽出する構成であるが、これに限定されるものではなく、例えば、記憶媒体に状態変化が生じた時点で、画像データ収集部４２１が記憶媒体に格納されている全ての画像データの中から未印刷画像データを収集する構成としてもよい。この構成によれば、ある記憶媒体に状態変化が生じた場合には、該記憶媒体に格納されている未印刷の画像データと共に、状態変化が生じていない記憶媒体に格納されている未印刷の画像データが収集される。そして、ｈｔｍｌ生成部４３により、未印刷画像データのｈｔｍｌが生成される。これにより、未印刷の画像データを即座に確認することが可能となる。
〔実施の形態４〕
本発明の他の実施形態について図９および図１０に基づいて説明すれば、以下のとおりである。なお、説明の便宜上、上記実施の形態１〜３において示した部材と同一の機能を有する部材には、同一の符号を付し、その説明を省略する。また、実施の形態１〜３において定義した用語については、特に断らない限り本実施の形態においてもその定義に則って用いるものとする。
【００９２】
図９は、本実施の形態４における電子装置１ｃの概略構成を示すブロック図である。
【００９３】
電子装置１ｃは、図１に示す上記実施の形態１における電子装置１において、さらに、操作部６と、メモリ情報記憶部（記憶媒体情報記憶部）８と、メモリ抽出部（記憶媒体抽出手段）４０とを備えている。
【００９４】
メモリ情報記憶部８は、電子装置１ｃに接続可能な複数の記憶媒体のうちユーザにより選択された複数の記憶媒体と、該記憶媒体を特定するための特定情報とを関連付けて記憶する。メモリ情報記憶部８は、例えば、図１０に示すテーブルによって構成されており、該テーブルはユーザが操作部６を介して予め登録することにより作成される。登録される記憶媒体の種類および数量は特に限定されるものではない。記憶媒体を特定する特定情報としては、例えば、記憶媒体の製品名、型番、ＩＰアドレス等が挙げられる。
【００９５】
メモリ抽出部４０は、メモリ情報記憶部８に登録されている特定情報に対応する記憶媒体を抽出して、抽出した記憶媒体をメモリ領域３として規定する。すなわち、メモリ抽出部４０は、メモリ状態変化検出部４１が状態変化を検出する対象となる記憶媒体を抽出する。なお、本実施の形態４においては、上記テーブルの一例として図１０に示すように、本体メモリ部１、メモリカード１およびメモリカード２が登録されているため、メモリ領域３には、本体メモリ部３１およびメモリカード３２１が含まれ、ネットワークＩ／Ｆ３３に接続される外部メモリ３３１等は除かれる。
【００９６】
上記の構成によれば、ユーザが登録した複数の記憶媒体において、ある記憶媒体の状態が変化した場合、上記複数の記憶媒体に格納されている画像データが収集される。つまり、例えば、ユーザが図１０のテーブルに示す記憶媒体を登録した場合において、メモリカード２が電子装置１に挿入された場合、メモリカード２に格納されている画像データだけでなく、登録された記憶媒体における、状態変化が生じていない本体メモリ部１およびメモリカード１に格納されている画像データも収集される。これにより、ユーザが登録した記憶媒体の範囲において、状態変化が生じていない記録媒体に格納されている画像データについても容易に確認することが可能となる。
【００９７】
このように、本実施の形態４では、状態変化の検出対象の記憶媒体を、ユーザが登録した記憶媒体に限定しているため、上記実施の形態１の構成と比較して、メモリ状態変化検出部４１、画像データ収集部４２１、ｈｔｍｌ生成部４３およびｈｔｍｌ提示部４４の処理速度を向上させることができ、電子装置１ｃの処理負荷を低減することができる。
【００９８】
なお、本実施の形態４における電子装置１ｃの構成は、メモリ領域３に含まれる記憶媒体を特定する構成であるため、上記実施の形態１〜３の電子装置１・１ａ・１ｂのそれぞれに適用することが可能である。
【００９９】
ここで、上記実施の形態１〜４の電子装置１・１ａ・１ｂ・１ｃにおけるｈｔｍｌ提示部４４は、ｈｔｍｌ生成部４３により生成されたｈｔｍｌをＷｅｂ表示する構成であってもよい。これにより、状態変化が生じた記憶媒体の画像データだけでなく、該記憶媒体とは異なる記憶媒体の画像データを、外部からインターネットによりアクセスすることが可能となる。
【０１００】
ここで、本発明の電子装置は、各記憶媒体が電子装置の管理下に新たに接続されたこと、または各記憶媒体が電子装置の管理下から切断されたことを検知するメモリ状態変化検出部と、管理下に存在する全記憶媒体上の画像データを管理する画像データ処理部と、管理された画像データに基づいて、画像確認用ｈｔｍｌや印刷用ｈｔｍｌを自動生成するｈｔｍｌ生成部と、生成したｈｔｍｌを本体（電子装置）の操作により外部に表示する表示部と、外部端末からの画像一覧表示要求時に生成したｈｔｍｌを送信するｈｔｍｌ提示部と、生成したｈｔｍｌの中から各画像に対応したインデックス番号に基づいて印刷を行う印刷部と、各画像データについて、過去に印刷されたか否かを判定する画像データ抽出部とを備え、本体内に格納された画像データが増加したとき、電子装置の管理下に存在する記憶媒体の情報を更新し、各記憶媒体内に格納されている全画像データから画像確認用のｈｔｍｌを自動生成する構成であってもよい。
【０１０１】
また、電子装置は、さらに、本体内に格納された画像データが増加したとき、電子装置の管理下に存在する記憶媒体の情報を更新し、各記憶媒体内に格納されている未印刷画像データから印刷用のｈｔｍｌを自動生成する構成であることが好ましい。
【０１０２】
また、電子装置は、さらに、本体内に格納された画像データが減少したとき、電子装置の管理下に存在する記憶媒体の情報を更新し、各記憶媒体内に格納されている全画像データから画像確認用のｈｔｍｌを自動生成することが好ましい。
【０１０３】
また、電子装置は、さらに、本体内に格納された画像データが減少したとき、電子装置の管理下に存在する記憶媒体の情報を更新し、各記憶媒体内に格納されている未印刷画像データから印刷用のｈｔｍｌを自動生成することが好ましい。
【０１０４】
また、電子装置は、さらに、画像ファイルを格納可能な外部記憶媒体を挿入するためのメモリカードＩ／Ｆを備えており、電子装置のメモリカードＩ／Ｆにメモリカードが挿入されたとき、電子装置の管理下に存在する記憶媒体の情報を更新し、各記憶媒体内に格納されている全画像データからインデックス番号付きの画像確認用ｈｔｍｌを自動生成することが好ましい。
【０１０５】
また、電子装置は、さらに、本電子装置のメモリカードＩ／Ｆにメモリカードが挿入されたとき、電子装置の管理下に存在する記憶媒体の情報を更新し、各記憶媒体内に格納されている未印刷画像データからインデックス番号付きの印刷用ｈｔｍｌを自動生成することが好ましい。
【０１０６】
また、電子装置は、さらに、本電子装置のメモリカードＩ／Ｆからメモリカードが抜かれたとき、電子装置の管理下に存在する記憶媒体の情報を更新し、各記憶媒体内に格納されている全画像データからインデックス番号付きの画像確認用ｈｔｍｌを自動生成することが好ましい。
【０１０７】
また、電子装置は、さらに、本電子装置のメモリカードＩ／Ｆからメモリカードが抜かれたとき、電子装置の管理下に存在する記憶媒体の情報を更新し、各記憶媒体内に格納されている未印刷画像データからインデックス番号付きの印刷用ｈｔｍｌを自動生成することが好ましい。
【０１０８】
また、電子装置は、さらに、ネットワーク環境に接続するためのネットワークＩ／Ｆを備えており、本電子装置がネットワーク上に記憶媒体の情報を検知したとき、電子装置の管理下に存在する記憶媒体の情報を更新し、各記憶媒体内に格納されている全画像データからインデックス番号付きの画像確認用ｈｔｍｌを自動生成することが好ましい。
【０１０９】
また、電子装置は、さらに、本電子装置がネットワーク上に記憶媒体の情報を検知したとき、電子装置の管理下に存在する記憶媒体の情報を更新し、各記憶媒体内に格納されている未印刷画像データからインデックス番号付きの印刷用ｈｔｍｌを自動生成することが好ましい。
【０１１０】
また、電子装置は、さらに、本電子装置がネットワーク上に記憶媒体の情報がなくなったことを検知したとき、電子装置の管理下に存在する記憶媒体の情報を更新し、各記憶媒体内に格納されている全画像データからインデックス番号付きの画像確認用ｈｔｍｌを自動生成することが好ましい。
【０１１１】
また、電子装置は、さらに、本電子装置がネットワーク上に記憶媒体の情報がなくなったことを検知したとき、電子装置の管理下に存在する記憶媒体の情報を更新し、各記憶媒体内に格納されている未印刷画像データからインデックス番号付きの印刷用ｈｔｍｌを自動生成することが好ましい。
【０１１２】
また、電子装置は、さらに、本体操作で画像確認要求があった場合は本体の表示部に生成済みの画像確認用ｈｔｍｌを表示することが好ましい。
【０１１３】
また、電子装置は、さらに、本体操作で未印刷確認要求があった場合は本体の表示部に生成済みの印刷用ｈｔｍｌを表示することが好ましい。
【０１１４】
また、電子装置は、さらに、外部端末から画像確認要求があった場合は外部端末へ生成済みの画像確認用ｈｔｍｌを送信することが好ましい。
【０１１５】
また、電子装置は、さらに、外部端末から未印刷確認要求があった場合は外部端末へ生成済みの印刷用ｈｔｍｌを送信することが好ましい。
【０１１６】
また、電子装置は、さらに、本体操作で全管理画像の印刷要求があると、管理されている画像データをすべて印刷することが好ましい。
【０１１７】
また、電子装置は、さらに、外部端末から全管理画像の印刷要求があると、管理されている画像データをすべて印刷することが好ましい。
【０１１８】
また、電子装置は、さらに、本体操作で全未印刷画像の印刷要求があると、管理されている画像データの中から未印刷データをすべて印刷することが好ましい。
【０１１９】
また、電子装置は、さらに、外部端末から全未印刷画像の印刷要求があると、管理されている画像データの中から未印刷データをすべて印刷することが好ましい。
【０１２０】
また、電子装置は、さらに、本体操作でインデックス番号による印刷要求があると、該当インデックス番号に対応する画像データを印刷することが好ましい。
【０１２１】
また、電子装置は、さらに、外部端末からインデックス番号による印刷要求があると、該当インデックス番号に対応する画像データを印刷することが好ましい。
【０１２２】
また、電子装置は、さらに、本体操作で記憶媒体単位による全画像印刷要求があると、該記憶媒体に格納されている全画像データを印刷することが好ましい。
【０１２３】
また、電子装置は、さらに、本体操作で記憶媒体単位による未印刷画像の印刷要求があると、該記憶媒体に格納されている未印刷データをすべて印刷することが好ましい。
【０１２４】
また、電子装置は、さらに、外部端末から記憶媒体単位による全画像印刷要求があると、該記憶媒体に格納されている全画像データを印刷することが好ましい。
【０１２５】
また、電子装置は、さらに、外部端末から記憶媒体単位による未印刷画像の印刷要求があると、該記憶媒体に格納されている未印刷データをすべて印刷することが好ましい。
【０１２６】
最後に、上記実施の形態１〜４における電子装置１・１ａ・１ｂ・１ｃの各ブロック、特に、メモリ状態変化検出部４１、画像データ収集部４２１、ｈｔｍｌ生成部４３は、ハードウェアロジックによって構成してもよいし、次のようにＣＰＵを用いてソフトウェアによって実現してもよい。
【０１２７】
すなわち、電子装置１・１ａ・１ｂ・１ｃは、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである電子装置制御プログラムのプログラムコード（実行形式プログラム、中間コードプログラム、ソースプログラム）をコンピュータで読取り可能に記録した記録媒体を、上記電子装置１・１ａ・１ｂ・１ｃに供給し、そのコンピュータ（またはＣＰＵやＭＰＵ）が記録媒体に記録されているプログラムコードを読み出し実行することによっても、達成可能である。
【０１２８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２９】
また、電子装置１・１ａ・１ｂ・１ｃを通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３１】
本発明の電子装置は、ネットワークを介してデータの通信が可能な構成であるため、メール機能、インターネット接続機能等を備えた複合機、パーソナルコンピュータ（ＰＣ）等の通信端末装置全般に適用可能である。
【図面の簡単な説明】
【０１３２】
【図１】本実施の形態１における電子装置の概略構成を示すブロック図である。
【図２】本実施の形態１における電子装置のｈｔｍｌ生成部により生成される画像確認用ｈｔｍｌを示す図である。
【図３】本実施の形態１における電子装置の動作を示す処理フロー図である。
【図４】本実施の形態２における電子装置の概略構成を示すブロック図である。
【図５】本実施の形態２における電子装置の動作を示す処理フロー図である。
【図６】本実施の形態３における電子装置の概略構成を示すブロック図である。
【図７】本実施の形態３における電子装置のｈｔｍｌ生成部により生成される印刷確認用ｈｔｍｌを示す図である。
【図８】本実施の形態３における電子装置の動作を示す処理フロー図である。
【図９】本実施の形態４における電子装置の概略構成を示すブロック図である。
【図１０】本実施の形態４における電子装置のメモリ情報記憶部に格納される、記憶媒体とそれに対応する特定情報の関係を示すテーブルを説明する図である。
【符号の説明】
【０１３３】
１、１ａ、１ｂ・１ｃ  電子装置
３        メモリ領域
３１      本体メモリ部（第１の記憶媒体）
３２１    メモリカード（第２の記憶媒体）
３３１    外部メモリ（第２の記憶媒体）
３３２    外部端末（第２の記憶媒体）
４０      メモリ抽出部（記憶媒体抽出手段）
４１      メモリ状態変化検出部（メモリ状態変化検出手段）
４２１    画像データ収集部（画像データ収集手段）
４２２    画像データ抽出部（画像データ抽出手段）
４２３    画像データ転送部（画像データ転送手段）
４２４    未印刷画像データ抽出部（未印刷画像データ抽出手段）
４３      ｈｔｍｌ生成部（画像情報生成手段）
４４      ｈｔｍｌ提示部（画像情報提示手段）
８        メモリ情報記憶部（記憶媒体情報記憶部）
【図１】
2008141619.tif 000003
【図３】
2008141619.tif 000004
【図４】
2008141619.tif 000005
【図５】
2008141619.tif 000006
【図６】
2008141619.tif 000007
【図８】
2008141619.tif 000008
【図９】
2008141619.tif 000009
【図１０】
2008141619.tif 000010
【図２】
2008141619.tif 000011
【図７】
2008141619.tif 000012